(57)【特許請求の範囲】
【請求項１】
容器を備え、
該容器を少なくとも部分的に充填されるまで、触媒が含まれていない水を含む流体を上記容器内に充填し、
一対の電極を上記流体内に沈め、
上記電極が5mmまたはそれ以下で離間するようこれらを位置決めし、
前記電極を沈めかつ位置決めした後、10Hzと250kHzとの間の周波数を有するパルス電気信号を前記電極の一方に付与して水素を生成し、
前記パルス電気信号を連続的に付与し、
前記電極を前記流体だけで隔てることを特徴とする水素の製造方法。
【請求項２】
前記パルス電気信号が1:1および10:1間のマーク対スペースの比を有することを特徴とする請求項１記載の方法。
【請求項３】
前記パルス電気信号が12ボルトの電圧と、300mAの電流とを有することを特徴とする請求項１記載の方法。
【請求項４】
前記パルス電気信号の周波数が可変であることを特徴とする請求項１記載の方法。
【請求項５】
前記容器の出口に接続した入口を有する装置で、該装置が
ａ．内燃機関と、
ｂ．往復ピストンエンジンと、
ｃ．ガスタービンエンジンと、
ｄ．ストーブと、
ｅ．ヒータと、
ｆ．炉と、
ｇ．蒸留ユニットと、
ｈ．水浄化ユニットと、
ｉ．水素／酸素火炎ジェットとからなる群から選択したものをさらに具え、
上記装置を動作させることを特徴とする請求項１記載の方法。
【請求項６】
前記容器内にコイルをさらに配置し、
該コイルに第二のパルス電気信号を付与することを特徴とする請求項１記載の方法。
【請求項７】
前記パルス電気信号が可変電圧パルス電気信号であることを特徴とする請求項１記載の方法。
【請求項８】
前記パルス電気信号が方形波であることを特徴とする請求項１記載の方法。
【請求項９】
前記パルス電気信号が鋸歯状波であることを特徴とする請求項１記載の方法。
【請求項１０】
前記パルス電気信号が三角波であることを特徴とする請求項１記載の方法。
【請求項１１】
触媒が含まれていない水を含む流体溶液を保持するための容器と、
上記容器内に配列し、5mmまたはそれ以下で互いに離間した一対の電極と、
該電極に接続して10Hzおよび250kHz間の周波数を有するパルス電気信号を前記電極の一方に付与するための電源とを具え、
前記電極を前記流体溶液内に沈め、
前記パルス電気信号を連続的に付与し、
前記電極を前記流体だけで隔てることを特徴とする水素製造用装置。
【請求項１２】
前記容器内に配置したコイルと、該コイルに接続して第二のパルス電気信号を上記コイルに付与するための第二の電源とをさらに具えることを特徴とする請求項１１記載の装置。
【請求項１３】
前記パルス電気信号が1:1および10:1間のマーク対スペースの比を有することを特徴とする請求項１１または１２記載の装置。
【発明の詳細な説明】
【０００１】
【産業上の利用分野】
本発明は、オルト水素およびパラ水素を製造するための装置に関するものである。
【０００２】
【従来の技術】
従来の電解セルは、水から水素と酸素とを製造することができる。一般に、かかる従来のセルは、該セル内に配置してエネルギーを水に付与して水素と酸素とを製造する２個の電極を備える。この２個の電極は、従来２種の異なった材料よりなる。
【０００３】
しかし、従来のセルで発生した水素と酸素が、一般に非効率的な方法で製造されている。すなわち、水素と酸素とを製造するために、多量の電力を電極に印加する必要がある。また、水酸化ナトリウムまたは水酸化カリウムのような化学触媒を水に添加して水素または酸素の気泡を電極から分離する必要がある。さらに、従来のセルはガス類を緩やかに生ずるため、生成したガスを貯蔵用の加圧容器にしばしば搬送する必要がある。また、従来のセルはヒートアップする傾向があるので、水の沸騰を含む種々の問題を生ずる。その上、従来のセルは、電気絶縁体として作用し、セルの機能を減ずるガスの気泡を電極上に形成する傾向がある。
【０００４】
従って、適度な入力電力のみで多量の水素および酸素を製造することが極めて望まれる。また、レギュラーな水道水を用い、任意の追加化学触媒を用いずに、水素と酸素とを製造し、加圧するための追加ポンプの必要なしにセルを作動させるのが望ましい。さらに、電極を同一材料を用いて構成するのが望ましい。また、熱および電極上に気泡を形成することなくガス類を速やかに生成するのが望ましい。
【０００５】
オルト水素とパラ水素は、水素の2種の異なった異性体である。オルト水素は、２個の核スピンが平行な水素分子の状態である。パラ水素は、２個の核スピンが逆向きの水素分子の状態である。オルト水素とパラ水素の異なった特性が異なった物理特性になる。たとえば、オルト水素は著しく可燃性であるが、パラ水素は水素の緩除な燃焼形態である。すなわち、オルト水素とパラ水素とを異なった用途に用いることができる。従来の電解セルは、オルト水素とパラ水素のみを作る。従来、パラ水素は製造が困難で、高価である。
【０００６】
従って、セルを用いてオルト水素とパラ水素とを安価に製造し、セルにより生ずる両者の量を制御し得ることが望ましい。また、連結機器用のエネルギー源を得るために、生成したオルト水素またはパラ水素を該連結機器に直接供給するのが望ましい。
【発明の要約】
【０００７】
本発明の目的は、電極を有し、水を含有するセルで、適度な入力電力量で、熱を生ずることなく多量の水素および酸素を比較的短時間で生成するものを提供することにある。
【０００８】
本発明の他の目的は、水素および酸素の気泡を、電極の周りまたは該電極上に集中させることなく生成するセルを提供することにある。
【０００９】
さらに、本発明の目的は、化学触媒を用いることなく適当に動作するセルを提供することにある。すなわち、該セルは、単に水道水で進行することができる。また、化学触媒の使用に付随する追加コストを回避することができる。
【００１０】
本発明の他の目的は、自己加圧されるセルを提供することにある。すなわち、追加のポンプを必要としない。
【００１１】
また、本発明の目的は、同一材料よりなる電極を有するセルを提供することにある。この材料は、たとえば、ステンレス鋼とすることができる。従って、セルの構成を簡単化し、対応するコストを減ずることができる。
【００１２】
本発明の他の目的は、オルト水素、パラ水素またはそれらの混合物を製造し得るセルで、ユーザーが所望するオルト水素とパラ水素との相対量を製造するように制御することができるセルを提供することにある。
【００１３】
さらに、本発明の目的は、セルのガス出口を内燃機関のような装置に連結することにある。このようにして、該装置を供給されたガスにより動作させることができる。
【００１４】
本発明の目的、要点および特徴は、図面を参照して後述する詳細な説明および請求項を考慮すればより明確になる。種々の図中、同一符号は同一部材を示す。
【００１５】
本発明は、水を保持するための容器を備える。少なくとも一対の密着離間した電極を該容器内に位置させ、水の下に沈める。第一の電源は、特定のパルス信号を電極に付与する。また、コイルを容器内に配置し、水の下に沈める。第二の電源は、スイッチを介して特定のパルス信号をコイルに付与する。
【００１６】
電極のみがパルス信号を受信すると、オルト水素を生成することができる。電極とコイルがパルス信号を受信すると、パラ水素またはパラ水素とオルト水素との混合物を生成することができる。容器は、自己加圧され、容器内の水は、オルト水素および／またはパラ水素を効率的に生成するために化学触媒を必要としない。
【発明の実施の形態】
【００１７】
図１は、水素と酸素とを製造するためのセルを含む本発明の第１実施態様を示す。図６−８と関連して後述するように、パラ水素の製造は、図１に示さない追加のコイルを必要とする。すなわち、図１の例により生成する水素は、オルト水素である。
【００１８】
セルは、その底部でねじ付きプラスチックベース１１３と、ねじ山ベース１０９とにより閉じられた密閉容器１１１を具える。該容器１１１は、たとえばプレクシグラスで構成することができ、43cmの典型的な高さと、9cmの典型的な幅とを有する。容器１１１は、その中に水道水を保持する。
【００１９】
さらに、容器は、該容器１１１内の圧力を測定するために圧力計１０３を具える。出口弁１０２を容器１１１の頂部に接続して該容器１１１内のあらゆるガスを出口管１０１に逃すようにする。
【００２０】
また、セルは、ベース１１３に接続したポップ弁１０６を具える。ポップ弁１０６は、圧力が所定限界値を超えると、容器１１１内の圧力を自動的に解放して安全機能を果たす。たとえば、容器内の圧力が75p.s.i.を超えると開くように、ポップ弁１０６を設定することができる。容器１１１は約200p.s.i.の圧力に耐えるように構築しているため、セルは大きな安全マージンを有する。
【００２１】
一対の電極１０５ａ，１０５ｂを容器１１１内に配置する。該電極１０５ａ，１０５ｂを水１１０の頂部レベルの下に沈め、その間に相互作用領域１１２を画成する。電極１０５ａ，１０５ｂを、ステンレス鋼のような同一材料で構成するのが好ましい。
【００２２】
最適量の水素と酸素とを製造するために、電極１０５ａ，１０５bを等離間隔で維持する必要がある。なお、電極１０５ａ，１０５ｂの離間隔を最小にするのが好ましい。しかし、電極１０５ａ，１０５ｂの離間隔を過剰に密着させて位置させることができない。その理由は、電極１０５ａ，１０５ｂ間にアーク放電が生ずるからである。1mmの離間隔が水素と酸素とを製造するための最適離間隔であることを確かめた。5mmまでの離間隔が有効に動作することができるが、5mmを超える離間隔は、過剰の電力を用いない限り良好に動作しない。
【００２３】
出口管１０１を介して出力される水素および酸素ガスを該管１０１によりこれらガスを用いる装置１２０、たとえば図1に示すような内燃機関に伝達することができる。内燃機関の代わりに、装置１２０を、往復ピストンエンジン、ガスタービンエンジン、ストーブ、ヒーター、炉、蒸留ユニット、水浄化ユニット、水素／酸素ジェットを含む水素および酸素を用いるあらゆる装置、またはこれらガス類を用いる他の装置とすることができる。本発明の適切な製造例によれば、上記出力ガスを用いるあらゆる装置を、危険な水素および酸素ガス類を貯蔵する必要性なしに連続的に運転することができる。
【００２４】
図2は、一対以上の電極２０５ａ−ｄを具える本発明の第二実施態様を示す。電極の離間隔は、図1に示すように、5mm以下である。図2は一対の追加電極のみを示すが、多数対（たとえば、40対のような多くの電極）をセル内に設けることも可能である。図2に示すセルの他のものは図1に示したものと同じである。多電極は、密着離間し、互いに平行な平坦板とするのが好ましい。図3は円筒形状の電極３０５ａ，３０５bを有するセルを示す。外方電極３０５ｂは、同心円的に配列した内方電極３０５ａを囲む。電極３０５ａ，３０５ｂの等離間隔は5mm未満で、相互作用領域が２個の電極３０５ａ，３０５ｂ間に同心円的に設けられている。図３では、容器１１１の頂部部分をプラスチックキャップ３０１で形成しているが、キャップ３０１を図１−２の例に用いることができ、また図３の例は図１−２と同じ容器１１１を利用することもできること当業者に明らかである。図３より示唆されるように、電極は平坦板、棒、管または同軸円筒のようなほぼ全ての形状を取ることができる。
【００２５】
図１の電極１０５ａ，１０５ｂ（または図２の電極２０５ａ−ｄ、または図３の電極３０５ａ，３０５ｂ）それぞれを電力供給端子１０８ａ，１０８ｂに接続するので、これら電極は電源からのパルス電気信号を受信することができる。パルス信号は、ほぼ任意の波形とすることができ、可変の電流レベル、電圧レベル、周波数およびマーク対スペース比（すなわち、単一パルス長対２個の逐次パルス間の間隔の比）を有する。たとえば、電力を電極に付与する電源は、110-12ボルト供給源またはカーバッテリーとすることができる。
【００２６】
図４ａ、図４ｂ、図４ｃは、本発明に係る電極１０５ａ，１０５ｂ（または２０５ａ−ｄまたは３０５ａ，３０５ｂ）に付与することができる方形波、鋸歯状波および三角波をそれぞれ示す。図４ａ−４ｃ示した波形のそれぞれは、1:1のマーク対スペースの比を有する。図４ｂに示すように、鋸歯状波はパルス長の末端でのみピーク電圧に達する。図４ｃに示すように、三角波は低いピーク電圧を有する。本発明において、水素および酸素を製造するための最適結果が方形波を用いると得られることを見出した。
【００２７】
電源からのパルス信号の供給開始後、電極１０５ａ，１０５ｂは相互作用領域で水から水素および酸素気泡を連続的にかつほとんど瞬時に発生する。なお、これら気泡を水１１０またはセルの任意他の部分の最小加熱のみで発生させることができる。これら気泡は水１１０中を上昇し、容器１１１の上方部分に集まる。
【００２８】
発生した気泡は、電極１０５ａ，１０５ｂの周りまたは電極上に集中しないので、水１１０の表面に容易に浮上する。従って、化学触媒を添加して溶液の電動を助けるか、または電極１０５ａ，１０５ｂの周りまたはその上に集中する気泡を減ずる必要性がない。すなわち、本発明においては、水道水のみが水素および酸素の発生のために必要とされる。
【００２９】
容器内で生成したガス類は自己加圧される（すなわち、圧力が空気ポンプなしにガスの生成により容器内に生ずる）。従って、追加のポンプを容器１１１に接続する必要がなく、生成したガス類を圧力容器に搬送する必要もない。
【００３０】
本発明における電源は、300mA(3.6ワット)で12ボルトを有するパルス信号を付与する必要がある。該パルス信号が10:1のマーク対スペース比と、10-250KHzの周波数を有すると、最適量の水素および酸素を生成することを見出した。これらのパラメータを用いる本発明のプロトタイプのセルは、ガスを1p.s.i./分の速度で製造することができる。従って、本発明に係るセルは、水素および酸素を著しく効率的な方法で速やかにかつ低い電力要求で製造することができる。
【００３１】
上述したように、図１−３の例により生成した水素は、オルト水素である。当業者によく知られているように、オルト水素は著しく可燃性である。従って、生成したオルト水素全てを内燃機関のような装置で用いるために容器１１１から弁１０２および出口管１０１を介して搬送することができる。
【００３２】
本発明は、十分な電極を有すると、ガス類を内燃機関またはタービンエンジンに直接供給するに十分な速さで水素および酸素を発生し、ガス類の累積および貯蔵なしにかかるエンジンを連続的に運転することができる。従って、本発明は、水素または酸素の貯蔵を必要としないため、まず安全な水素／酸素駆動エンジンを提供する。
【００３３】
図５は、図４ａ−４ｃに示すようなＤ．Ｃ．パルス信号を図１−３に示す電極に付与するための代表的な電源を示す。当業者が容易に分かるように、上述したパルス信号を付与することができる任意他の電源を上記の電源の代わりに用いることができる。
【００３４】
図５に示す電源は、下記の部品と、その代表的な構成分および数値を含む。
非安定回路           ＮＥ５５５または等価の論理回路
抵抗Ｒ２             １０Ｋ
抵抗Ｒ３             １０Ｋ
抵抗Ｒ４             １０Ｋ
抵抗Ｒ５             ２．７Ｋ
抵抗Ｒ６             ２．７Ｋ
トランジスタＴＲ１   ２Ｎ３９０４
トランジスタＴＲ２   ２Ｎ３９０４
トランジスタＴＲ３   ２Ｎ３０５５または任意の高速高電流シリコ
ンスイッチ
ダイオードＤ２              １Ｎ４００７
キャパシタ(図示せず) 所要に応じてＶｃｃバイパスキャパシタ
【００３５】
非安定回路を抵抗Ｒ２を介してトランジスタＴＲ１のベースに接続する。トランジスタＴＲ１のコレクタを、抵抗Ｒ５を介して電圧供給源Ｖｃｃと、抵抗Ｒ３を介してトランジスタＴＲ２のベースに接続する。トランジスタＴＲ２のコレクタを、抵抗Ｒ６を介して電圧供給源Ｖｃｃと、抵抗Ｒ４を介してトランジスタＴＲ３のベースに接続する。トランジスタＴＲ３のコレクタを、セルの電極の一方と、ダイオードＤ２に接続する。トランジスタＴＲ１，ＴＲ２，ＴＲ３のエミッタをアースに接続する。抵抗Ｒ５およびＲ６は、それぞれトランジスタＴＲ１およびＴＲ２のコレクタ負荷として作用する。セルは、トランジスタＴＲ３のコレクタ負荷として作用する。抵抗Ｒ２，Ｒ３およびＲ４は、それぞれトランジスタＴＲ１，ＴＲ２およびＴＲ３を飽和するのを確実にするよう機能する。ダイオードＤ２は、セル内で回路の残部を任意の逆起電力から保護する。
【００３６】
非安定回路を用いてパルス列を特定の時間で、特定のマーク対スペースの比で発生させる。このパルス列を抵抗Ｒ２を介してトランジスタＴＲ１のベースに付与する。トランジスタＴＲ１は逆スイッチとして作動する。すなわち、非安定回路が出力パルスを生ずると、トランジスタＴＲ１のベース電圧が高くなる（すなわち、Ｖｃｃまたは論理１に近づく）。その結果、トランジスタＴＲ１のコレクタの電圧レベルが低くなる（すなわち、アースまたは論理０に近づく）。
【００３７】
トランジスタＴＲ２はインバータとして作動する。トランジスタＴＲ１のコレクタ電圧が低くなると、トランジスタＴＲ２のベース電圧も低くなり、トランジスタＴＲ２が遮断状態になる。その結果、トランジスタＴＲ２のコレクタ電圧およびトランジスタＴＲ３のベース電圧が高くなる。従って、トランジスタＴＲ３は、非安定回路により示されたマーク対スペースの比に応じて導通状態になる。トランジスタＴＲ３が導通すると、セルの一方の電極がＶｃｃに接続され、他方の電極がトランジスタＴＲ３を介してアースに接続される。すなわち、トランジスタＴＲ３を導通（および遮断）状態にすることができるので、トランジスタＴＲ３はセルの電極に対するパワースイッチとして有効に作用する。
【００３８】
図６−８は、それぞれ図１−３の例に類似するセルの他の実施態様を示す。しかし、図６−８の各例は、さらに電極上に配置したコイル１０４と、該コイル１０４に接続した電源端子１０７とを備える。コイル１０４の諸元は、たとえば５ｘ７ｃｍで、１５００ターンとすることができる。コイル１０４を水１１０の表面下に沈める。
【００３９】
さらに、図６−８の例は、ユーザにより開閉できる任意のスイッチ１２１を具える。スイッチ１２１を閉じない場合、セルは基本的に図１−３と同じ構造を形成し、図１−３に記載したと同様の方法で作動してオルト水素および酸素を製造することができる。スイッチ１２１を閉じると、追加のコイル１０４が酸素と、（１）パラ水素または（２）パラ水素とオルト水素との混合物とを製造し得るセルを構成する。
【００４０】
スイッチ１２１を閉じる（または含まない）と、コイル１０４は端子１０６およびスイッチ１２１（または直接端子１０６のみ）を介して電源に接続されるので、コイル１０４はパルス信号を受信することができる。後述するように、かかる電源を図９に示す回路により形成することができる。
【００４１】
コイル１０４および電極１０５ａ，１０５ｂがパルスを受信すると、パラ水素またはパラ水素とオルト水素との混合物の気泡を製造することが可能になる。かかる気泡が形成され、図１−３で記載したように水１１０の表面に浮上する。コイルを一層高い電流でパルス化すると、多量のパラ水素が生ずる。なお、コイル１０４の電圧を変えることにより、大／小割合のオルト水素／パラ水素を製造することができる。すなわち、コイル１０４に付与する電圧レベル、電流レベル周波数（後述する）(および上述したように電極１０５ａ，１０５ｂに付与する電圧レベル、電流レベル、周波数、マーク対スペースの比および波形のようなパラメータ)を制御することにより、セルにより生ずるガスの組成を制御することができる。たとえば、コイル１０４を単に断続することにより、酸素およびオルト水素のみを製造することが可能になる。また、適当なパルス信号をコイル１０４と電極１０５ａ，１０５ｂに付与することにより、酸素およびパラ水素のみを製造することが可能になる。図１−３の例に関して述べた効果および結果の全てが図６−８の例からも等しく誘導される。たとえば、図６−８のセルは、自己加圧され、化学触媒を必要とせず、水１１０またはセルを著しく加熱せず、電極上に気泡を生ずることなく適度な入力電力量で多量の水素および酸素ガスを生成する。
【００４２】
次のパルスが電流をコイル１０４に付与する前に、相当量の時間が経過する必要がある。その結果、パルス信号の周波数は、電極１０５ａ，１０５ｂに付与するものより相当低くなる。従って、上述した諸元を有するタイプのコイル１０４を用いると、パルス信号の周波数を３０Ｈｚのように高くすることができるが、最適結果を得るためには１７−２２Ｈｚが好ましい。
【００４３】
パラ水素は、オルト水素のように著しく可燃性なものでなく、緩徐な燃焼する形態の水素である。従って、パラ水素をセルにより製造する場合、該パラ水素を料理器または炉のような適当な装置に供給して緩徐な炎を有する動力または熱源を付与することができる。
【００４４】
図９は、図４ａ−４ｃに示したようなＤ．Ｃ．パルス信号を図６−８に示した電極に付与するための代表的な電源を示す。さらに、該電源は、他のパルス信号をコイルに付与することができる。当業者が容易に分かるように、上述したパルス信号をセルの電極およびコイルに付与し得る任意の他の電源を上記電源に代えて用いることもできる。あるいは、電極およびコイルに付与したパルス信号を２個の別個の電源により得ることもできる。
【００４５】
パルス信号をセルの電極に付与する電源部分（非安定回路、Ｒ２−Ｒ６，ＴＲ１−ＴＲ３，Ｄ２）は、図５に示したものと同一である。図９に示す電源は、さらに下記の部品とその代表的な数値とを有する。
Ｎカウント分割器            ４０１８ＢＰＣまたは等価論理回路
モノ安定回路                ＮＥ５５４または等価論理回路
抵抗Ｒ１                    １０Ｋ
トランジスタＴＲ４          ２Ｎ３０５５または任意の高速高電流
シリコンスイッチ
ダイオードＤ１                     １Ｎ４００７
【００４６】
Ｎカウンタ分割器（以後分割器と称する）の入力をトランジスタＴＲ１のコレクタに接続する。分割器の出力をモノ安定回路に接続し、該モノ安定回路の出力を抵抗Ｒ１を介してトランジスタＴＲ４のベースに接続する。トランジスタＴＲ４のコレクタをコイルおよびダイオードＤ１の各一方端に接続する。コイルおよびダイオードＤ１の他端を電圧供給源Ｖｃｃに接続する。抵抗Ｒ１は、ＴＲ４が十分に飽和されるのを確実にする。ダイオードＤ２は、コイル内で発生する任意の逆起電力により回路の残部が損傷を受けるのを防止する。図６−８に示すように、スイッチ１２１を回路に組み込んで、ユーザが（１）オルト水素と酸素とを製造するセルと、（２）少なくともパラ水素と酸素とを製造するセルとの間で切り替えできるようにすることができる。
【００４７】
トランジスタＴＲ１のコレクタ電圧の高／低切り替えによりパルス信号を分割器に付与する。分割器は、このパルス信号をＮ個（Ｎは正の整数である）だけ分割してパルス出力信号を生成する。この出力信号を用いてモノ安定回路をトリガする。モノ安定回路は適当なタイミングを有するパルス長を再蓄積する。モノ安定回路からの出力信号を、抵抗Ｒ１を介してトランジスタＴＲ４のベースに供給してトランジスタＴＲ４のオン／オフを行う。トランジスタＴＲ４をオンにすると、コイルがＶｃｃとアースとの間に配列される。トランジスタＴＲ４をオフにすると、コイルが回路の残部から遮断される。図６−８に関連して述べたように、コイルに付与されるパルス信号の周波数を、好ましくは17-22Hz間の割合で分周する、すなわち電極に付与されるパルス信号の周波数よりも低くする。
【００４８】
上述したように、パルス信号をコイルに付与する回路（分割器、モノ安定回路、Ｒ１，ＴＲ４およびＤ１）を、パルス信号を電極に付与する回路（非安定回路、Ｒ２−Ｒ６，ＴＲ１−ＴＲ３，Ｄ２）に接続することを必要としない。しかし、回路をこのような方法で接続することは、コイルに対するパルス信号を起こすための容易な手段を付与する。
【００４９】
本発明の作動プロトタイプは、上述した例示かつ最適なパラメータで上手く構築かつ動作して水からオルト水素、パラ水素および酸素を発生させた。該プロトタイプからの出力ガスを管によりキャブレターを除いた小さな１シリンダーガソリンエンジンのマニフォルド入口に供給し、該エンジンを任意のガソリンなしに運転するのに成功した。
【００５０】
追加の利点および変形は、当業者に容易に浮かぶものである。それ故、本発明は、上述した特定の項目および代表的な装置に限定されるものでない。従って、種々の変形を、本発明の範囲を超えることなく行うことができる。
【図面の簡単な説明】
【図１】  本発明の第一実施態様に係る一対の電極を具えたオルト水素を製造するためのセルの側面図である。
【図２】  本発明の第二実施態様に係る二対の電極を具えたオルト水素を製造するためのセルの側面図である。
【図３】  本発明の第三実施態様に係る一対の円筒形状電極を具えたオルト水素を製造するためのセルの側面図である。
【図４ａ】  図５の回路により形成し、図１−３の電極に付与し得る方形波パルス信号を示す線図である。
【図４ｂ】  図５の回路により形成し、図１−３の電極に付与し得る鋸歯状波パルス信号を示す線図である。
【図４ｃ】  図５の回路により形成し、図１−３の電極に付与し得る三角波パルス信号を示す線図である。
【図５】  図１−３の電極に接続した電源を示す電気回路図である。
【図６】  本発明の第四実施態様に係るコイルと一対の電極を具えた少なくともパラ水素を製造するためのセルの側面図である。
【図７】  本発明の第五実施態様に係るコイルと二対の電極を具えた少なくともパラ水素を製造するためのセルの側面図である。
【図８】  本発明の第六実施態様に係るコイルと一対の円筒形状電極を具えた少なくともパラ水素を製造するためのセルの側面図である。
【図９】  図６−８のコイルと電極とに接続した電源を示す電気回路図である。
【図１】
0004532737.tif 000002
【図２】
0004532737.tif 000003
【図３】
0004532737.tif 000004
【図４ａ】
0004532737.tif 000005
【図４ｂ】
0004532737.tif 000006
【図４ｃ】
0004532737.tif 000007
【図５】
0004532737.tif 000008
【図６】
0004532737.tif 000009
【図７】
0004532737.tif 000010
【図８】
0004532737.tif 000011
【図９】
0004532737.tif 000012